(57)【要約】【課題】異物が検知スイッチに付着することを確実に防止することができ、カードの検知を正確に行うことができるとともに、構造が簡素で、組立が容易であり、コストが低く、小型化が可能で信頼性が高くなるようにする。【解決手段】端子部材を備えるカードを収容するハウジングと、ハウジングに取付けられ、カードの端子部材と接触する接続端子と、ハウジングに取付けられ、ハウジングとの間にカード収容空間を形成するカバー部材とを有するカード用コネクタであって、カード収容空間に挿入されたカードの端子部材が接続端子と接触していることを検知する検知スイッチと、ハウジングに形成され、検知スイッチを収容するスイッチ収容空間と、カード収容空間とスイッチ収容空間とを連通する接続開口を塞（ふさ）ぐようにハウジングに配設された可動カバー部材とを更に有する。【選択図】図１
2011082049.tif 000002
【特許請求の範囲】
【請求項１】
（ａ）端子部材を備えるカードを収容するハウジングと、
（ｂ）該ハウジングに取付けられ、前記カードの端子部材と接触する接続端子と、
（ｃ）前記ハウジングに取付けられ、該ハウジングとの間にカード収容空間を形成するカバー部材とを有するカード用コネクタであって、
（ｄ）前記カード収容空間に挿入されたカードの端子部材が前記接続端子と接触していることを検知する検知スイッチと、
（ｅ）前記ハウジングに形成され、前記検知スイッチを収容するスイッチ収容空間と、
（ｆ）前記カード収容空間とスイッチ収容空間とを連通する接続開口を塞ぐように前記ハウジングに配設された可動カバー部材とを更に有することを特徴とするカード用コネクタ。
【請求項２】
前記可動カバー部材が、前記カード収容空間に挿入されたカードと当接しない第１の位置にあるとき、前記ハウジングと可動カバー部材との間の隙間をシールする停止シール部と、
前記可動カバー部材が、前記カード収容空間への挿入が完了したカードによって変位させられた第２の位置にあるとき、及び、前記第１の位置と第２の位置との間にあるとき、前記ハウジングと可動カバー部材との間の隙間をシールする遷移シール部とを有する請求項１に記載のカード用コネクタ。
【請求項３】
前記可動カバー部材は、前記検知スイッチの周囲の少なくとも一部を覆う本体部と、該本体部から突出し、前記接続開口を通ってカード収容空間内に進入可能なボタン部とを備え、
前記停止シール部は前記ボタン部の両側に配設されるとともに、前記遷移シール部も前記ボタン部の両側に配設される請求項２に記載のカード用コネクタ。
【請求項４】
前記遷移シール部は、前記ボタン部の少なくとも一側に複数配設される請求項３に記載のカード用コネクタ。
【請求項５】
前記カードを挿入方向と反対の方向に付勢する付勢部材を備え、前記カードをロック位置で保持してカードの端子部材が接続端子と接触している状態を維持し、前記ロック位置で保持されているカードを挿入方向に押込むプッシュ動作によってカードが挿入方向に移動して終端点まで到達すると、前記付勢部材の付勢力によって、前記カードを終端点から挿入方向と反対の方向に移動させて排出するカード案内機構を更に有し、
前記可動カバー部材は、前記カード案内機構の反対側に配設され、前記カード収容空間に挿入された前記カードの側端と接離することによって変位し、前記検知スイッチを作動させる請求項１〜４のいずれか１項に記載のカード用コネクタ。
【請求項６】
前記可動カバー部材は、前記ハウジングに対して回転可能、又は、前記ハウジングの幅方向にスライド可能である請求項１〜５のいずれか１項に記載のカード用コネクタ。
【発明の詳細な説明】
【技術分野】
【０００１】
本発明は、カード用コネクタに関するものである。
【背景技術】
【０００２】
従来、パーソナルコンピュータ、携帯電話機、ＰＤＡ（Ｐｅｒｓｏｎａｌ  Ｄｉｇｉｔａｌ  Ａｓｓｉｓｔａｎｔ）、デジタルカメラ、ビデオカメラ、音楽プレーヤ、ゲーム機、車両用ナビゲーション装置等の電子機器においては、ＳＩＭ（Ｓｕｂｓｃｒｉｂｅｒ  Ｉｄｅｎｔｉｔｙ  Ｍｏｄｕｌｅ）カード、ＭＭＣ（Ｒ）（Ｍｕｌｔｉ  Ｍｅｄｉａ  Ｃａｒｄ）、ＳＤ（Ｒ）（Ｓｅｃｕｒｅ  Ｄｉｇｉｔａｌ）カード、ｍｉｎｉＳＤ（Ｒ）カード、ｘＤピクチャーカード（Ｒ）（ｘＤ−Ｐｉｃｔｕｒｅ  ｃａｒｄ）、メモリスティック（Ｒ）、メモリスティックＤｕｏ（Ｒ）、スマートメディア（Ｒ）、ＴｒａｎｓＦｌａｓｈ（Ｒ）メモリカード、マイクロＳＤ（Ｒ）カード等の各種メモリカードを利用するために、カード用コネクタを備えている。
【０００３】
近年のカード用コネクタは、使い勝手の観点から、メモリカードを挿入する際にも取外す際にもメモリカードを押込むように操作するプッシュ／プッシュ構造を有するものが一般的である。しかし、プッシュ／プッシュ構造を有するカード用コネクタでは、メモリカードの挿入又は排出時に端子の接触部をメモリカードのコンタクトパッドが摺（しゅう）擦するので、端子の接触部は清浄に維持されるのに対し、メモリカードが挿入されていることを検知するための検知スイッチは、接触部の摺擦が行われないので、汚損の影響を受けやすくなっている。そこで、検知スイッチをカバーで覆うことによって、塵埃（じんあい）等の異物が付着して接触部が汚損することを防止する技術が提案されている（例えば、特許文献１参照。）。
【０００４】
図１０は従来のカード用コネクタの検知スイッチを覆うカバーを示す図である。
【０００５】
図において、８７１はカード用コネクタが有する検知スイッチであり、メモリカード９０１が挿入されると導通状態となって、メモリカード９０１がカード用コネクタに挿入されていることを検知する。そして、前記検知スイッチ８７１は、可動式のスイッチ部材８４１と、ばね性を備える導電性の第１接触片８７２及び第２接触片８７３とを有し、メモリカード９０１が挿入されて、その先端がスイッチ部材８４１の傾斜面８４３に当接すると、スイッチ部材８４１が押下げられ、その結果、第１接触片８７２が第２接触片８７３と接触して検知スイッチ８７１が導通状態となる。
【０００６】
さらに、前記検知スイッチ８７１は、金属板に曲げ加工を施して形成されたカバー８６１を有する。前記第２接触片８７３は、カバー８６１と一体的に形成されている。また、該カバー８６１には開口８６２が形成され、前記スイッチ部材８４１は開口８６２から上方に突出するように配設されている。なお、前記スイッチ部材８４１は、その回転軸８４２を中心に回転可能に取付けられ、メモリカード９０１の先端が傾斜面８４３に当接すると、図において時計回り方向に回転し、第１接触片８７２を押下げて第２接触片８７３と接触させる。
【０００７】
このように、第１接触片８７２及び第２接触片８７３がカバー８６１によって覆われ、また、開口８６２もスイッチ部材８４１によって塞（ふさ）がれているので、塵埃等の異物が第１接触片８７２及び第２接触片８７３の接触面に付着することが防止される。
【先行技術文献】
【特許文献】
【０００８】
【特許文献１】特開２００３−３１３１５号公報
【発明の概要】
【発明が解決しようとする課題】
【０００９】
しかしながら、前記従来のカード用コネクタにおいては、第１接触片８７２及び第２接触片８７３が収容される空間の上方はカバー８６１によって覆われているものの、前記空間におけるメモリカード９０１の挿入方向手前側は開放されている。また、開口８６２も、メモリカード９０１が挿入された状態ではスイッチ部材８４１が回転するので、開放されてしまう。したがって、カード用コネクタのカード挿入口から本体内に進入した異物やメモリカード９０１の表面に付着した異物が前記空間内に進入し、第１接触片８７２及び第２接触片８７３の接触面に付着する可能性がある。
【００１０】
一般的に、カード用コネクタは、回路基板等の基板の表面に実装されて使用されるので、基板によって塞がれる基板側（図１０における下側）の面から異物が進入する可能性は極めて低いが、反基板側（図１０における上側）の面から異物が前記空間に進入する可能性はある。さらに、電子機器の筐（きょう）体の外側にカード挿入口が開口している場合には、カード挿入口から本体内に進入した異物やメモリカード９０１の表面に付着した異物が前記空間内に進入する可能性が極めて高くなる。
【００１１】
本発明は、前記従来のカード用コネクタの問題点を解決して、カード収容空間の内壁面に沿って配設された検知スイッチを収容するスイッチ収容空間を、少なくともカード収容空間とスイッチ収容空間との間を遮断する可動カバー部材によって覆うことにより、異物が検知スイッチに付着することを確実に防止することができ、カードの検知を正確に行うことができるとともに、構造が簡素で、組立が容易であり、コストが低く、小型化が可能な信頼性の高いカード用コネクタを提供することを目的とする。
【課題を解決するための手段】
【００１２】
そのために、本発明のカード用コネクタにおいては、端子部材を備えるカードを収容するハウジングと、該ハウジングに取付けられ、前記カードの端子部材と接触する接続端子と、前記ハウジングに取付けられ、該ハウジングとの間にカード収容空間を形成するカバー部材とを有するカード用コネクタであって、前記カード収容空間に挿入されたカードの端子部材が前記接続端子と接触していることを検知する検知スイッチと、前記ハウジングに形成され、前記検知スイッチを収容するスイッチ収容空間と、前記カード収容空間とスイッチ収容空間とを連通する接続開口を塞ぐように前記ハウジングに配設された可動カバー部材とを更に有する。
【００１３】
本発明の他のカード用コネクタにおいては、さらに、前記可動カバー部材が、前記カード収容空間に挿入されたカードと当接しない第１の位置にあるとき、前記ハウジングと可動カバー部材との間の隙（すき）間をシールする停止シール部と、前記可動カバー部材が、前記カード収容空間への挿入が完了したカードによって変位させられた第２の位置にあるとき、及び、前記第１の位置と第２の位置との間にあるとき、前記ハウジングと可動カバー部材との間の隙間をシールする遷移シール部とを有する。
【００１４】
本発明の更に他のカード用コネクタにおいては、さらに、前記可動カバー部材は、前記検知スイッチの周囲の少なくとも一部を覆う本体部と、該本体部から突出し、前記接続開口を通ってカード収容空間内に進入可能なボタン部とを備え、前記停止シール部は前記ボタン部の両側に配設されるとともに、前記遷移シール部も前記ボタン部の両側に配設される。
【００１５】
本発明の更に他のカード用コネクタにおいては、さらに、前記遷移シール部は、前記ボタン部の少なくとも一側に複数配設される。
【００１６】
本発明の更に他のカード用コネクタにおいては、さらに、前記カードを挿入方向と反対の方向に付勢する付勢部材を備え、前記カードをロック位置で保持してカードの端子部材が接続端子と接触している状態を維持し、前記ロック位置で保持されているカードを挿入方向に押込むプッシュ動作によってカードが挿入方向に移動して終端点まで到達すると、前記付勢部材の付勢力によって、前記カードを終端点から挿入方向と反対の方向に移動させて排出するカード案内機構を更に有し、前記可動カバー部材は、前記カード案内機構の反対側に配設され、前記カード収容空間に挿入された前記カードの側端と接離することによって変位し、前記検知スイッチを作動させる。
【００１７】
本発明の更に他のカード用コネクタにおいては、さらに、前記可動カバー部材は、前記ハウジングに対して回転可能、又は、前記ハウジングの幅方向にスライド可能である。
【発明の効果】
【００１８】
本発明によれば、カード用コネクタは、カード収容空間の内壁面に沿って配設された検知スイッチを収容するスイッチ収容空間を、少なくともカード収容空間とスイッチ収容空間との間を遮断する可動カバー部材によって覆うようになっている。これにより、異物が検知スイッチに付着することを確実に防止することができ、カードの検知を正確に行うことができるとともに、構造を簡素化し、組立を容易にし、コストを低減し、小型化を可能とし、信頼性を向上させることができる。
【図面の簡単な説明】
【００１９】
【図１】本発明の第１の実施の形態におけるカード用コネクタを示す斜視図であって、（ａ）は分解図、（ｂ）はシェルを取除いた状態を示す図である。
【図２】本発明の第１の実施の形態におけるカード用コネクタのシェルを取除いた状態を示す上面図であって、（ａ）は全体図、（ｂ）は要部拡大図である。
【図３】本発明の第１の実施の形態におけるカード用コネクタを示す下面図であって、（ａ）は全体図、（ｂ）は要部拡大図である。
【図４】本発明の第１の実施の形態におけるカード用コネクタを示す上面図である。
【図５】本発明の第１の実施の形態におけるカード用コネクタのカード挿入途中の状態を示すシェルを取除いた上面図であって、（ａ）は全体図、（ｂ）は要部拡大図である。
【図６】本発明の第１の実施の形態におけるカード用コネクタのカード挿入途中の状態を示す下面図であって、（ａ）は全体図、（ｂ）は要部拡大図である。
【図７】本発明の第２の実施の形態におけるカード用コネクタを示す斜視図であって、（ａ）は分解図、（ｂ）はシェルを取除いた状態を示す図である。
【図８】本発明の第２の実施の形態におけるカード用コネクタのシェルを取除いた状態を示す上面図であって、（ａ）は全体図、（ｂ）は要部拡大図である。
【図９】本発明の第２の実施の形態におけるカード用コネクタのカード挿入途中の状態を示すシェルを取除いた上面図であって、（ａ）は全体図、（ｂ）は要部拡大図である。
【図１０】従来のカード用コネクタの検知スイッチを覆うカバーを示す図である。
【発明を実施するための形態】
【００２０】
以下、本発明の実施の形態について図面を参照しながら詳細に説明する。
【００２１】
図１は本発明の第１の実施の形態におけるカード用コネクタを示す斜視図、図２は本発明の第１の実施の形態におけるカード用コネクタのシェルを取除いた状態を示す上面図、図３は本発明の第１の実施の形態におけるカード用コネクタを示す下面図、図４は本発明の第１の実施の形態におけるカード用コネクタを示す上面図である。なお、図１において、（ａ）は分解図、（ｂ）はシェルを取除いた状態を示す図、図２及び３において、（ａ）は全体図、（ｂ）は要部拡大図である。
【００２２】
図において、１は本実施の形態におけるカード用コネクタであり、図示されない電子機器に取付けられる。そして、前記カード用コネクタ１の内部には後述されるカード１０１が挿入され、前記カード用コネクタ１を介して、前記電子機器にカード１０１が装着される。なお、前記電子機器は、例えば、パーソナルコンピュータ、携帯電話機、ＰＤＡ、デジタルカメラ、ビデオカメラ、音楽プレーヤ、ゲーム機、車両用ナビゲーション装置等であるが、いかなる種類の機器であってもよい。
【００２３】
また、カード１０１は、例えば、ＳＩＭカード、ＭＭＣ（Ｒ）、ＳＤ（Ｒ）カード、ｍｉｎｉＳＤ（Ｒ）カード、ｘＤピクチャーカード（Ｒ）、メモリスティック（Ｒ）、メモリスティックＤｕｏ（Ｒ）、スマートメディア（Ｒ）、ＴｒａｎｓＦｌａｓｈ（Ｒ）メモリカード、マイクロＳＤ（Ｒ）カード等のＩＣカードであり、いかなる種類のカードであってもよい。
【００２４】
なお、本実施の形態において、カード用コネクタ１の各部の構成及び動作を説明するために使用される上、下、左、右、前、後等の方向を示す表現は、絶対的なものでなく相対的なものであり、カード用コネクタ１又はその部品が図に示される姿勢である場合に適切であるが、カード用コネクタ１又はその部品の姿勢が変化した場合には、姿勢の変化に応じて変更して解釈されるべきものである。
【００２５】
ここで、前記カード用コネクタ１は、合成樹脂等の絶縁性材料によって一体的に成形されたハウジング１１と、金属等の導電性材料から成る板材に打抜き、折曲げ等の加工を施すことによって一体的に成形され、ハウジング１１の上側に取付けられたカバー部材としてのシェル６１とを有する。該シェル６１は、ハウジング１１の少なくとも一部の上方を覆うようにしてハウジング１１に取付けられ、これにより、シェル６１とハウジング１１との間に、カード１０１の少なくとも一部が収容されるカード収容空間が形成される。そして、前記カード用コネクタ１は、概略、扁（へん）平な直方体形状を備え、前記電子機器に取付けられ、前方（図２〜４における上方）からカード収容空間にカード１０１が挿入される。なお、該カード１０１は、端子部材としてのコンタクトパッドが複数個露出して配設された面がハウジング１１側を向くような姿勢で、カード用コネクタ１に挿入される。
【００２６】
図に示されるように、ハウジング１１は、カード１０１の挿入方向に関して手前側となる前縁側（図２における上側）がアーチ状となっている底壁部１１ａ、及び、該底壁部１１ａの奥部において奥側（図２における下側）の縁に沿って延在し、底壁部１１ａから立設する奥壁部１１ｂを有する。ここで、該奥壁部１１ｂには、前後方向に貫通するように形成された図示されない端子装填（てん）孔（こう）が複数形成され、各端子装填孔に接続端子としての端子５１の本体部５１ａが挿入されて取付けられている。また、底壁部１１ａの上面には、前後方向（図２における上下方向）に延在するように形成された端子装填溝１１ｅが複数形成され、各端子装填溝１１ｅに端子５１が収容されている。
【００２７】
そして、該端子５１は、ハウジング１１の前縁側に向けて延在し、先端近傍に端子装填溝１１ｅから上方に突出する接触部５１ｂが形成され、カード１０１の下向きの面に配設されたコンタクトパッドに接触して電気的に接続される。また、前記端子５１の本体部５１ａの根本から後方（図２における下方）に延在するソルダーテール部５１ｃは、底壁部１１ａの後側の縁から後方に向けて突出し、前記電子機器における配線基板等の基板に形成された信号線、コンタクトパッド、端子等、すなわち、相手側端子部材に、はんだ付等によって電気的に接続される。
【００２８】
また、ハウジング１１は、底壁部１１ａの一方の側縁に沿って前後方向に延在する断面Ｌ字状の側壁としての第１側壁部１１ｃ、及び、底壁部１１ａの他方の側縁に沿って前後方向に延在する側壁としての第２側壁部１１ｄを有する。なお、前記カード収容空間は、前記底壁部１１ａ、奥壁部１１ｂ、第１側壁部１１ｃ及び第２側壁部１１ｄと、シェル６１の天板部６２とによって周囲を画定された空間である。
【００２９】
ここで、前記カード用コネクタ１は、該カード用コネクタ１内にカード１０１を挿入する際にも、カード用コネクタ１内からカード１０１を取出す際にも、カード１０１を押込む動作を必要とする、いわゆる、プッシュインプッシュアウトタイプ、又は、プッシュ／プッシュタイプと通称されるものである。このような動作は、押しボタンスイッチの分野におけるオルタネイト動作（位置保持型、プッシュオン・プッシュオフ型）と同様のものである。そのため、第２側壁部１１ｄには、カード用コネクタ１内に挿入されたカード１０１を案内するためのカード案内機構のスライド部材２１が前後方向、すなわち、カード１０１の挿入方向にスライド可能に取付けられている。
【００３０】
そして、スライド部材２１は、カード１０１を保持するためのカード保持部として内側の側面から突出するように形成された第１係合部２１ａ及び第２係合部２１ｂを備える。該第１係合部２１ａ及び第２係合部２１ｂは、カード１０１の外面に形成された図示されない係合凹部と係合する。そして、スライド部材２１は、第１係合部２１ａ及び第２係合部２１ｂによってカード１０１を保持し、該カード１０１とともに前後方向に移動する。
【００３１】
また、スライド部材２１におけるカード１０１の後方の端面には、コイルスプリングから成る付勢部材８１の一端が取付けられている。該付勢部材８１の他端は、奥壁部１１ｂの係止部１１ｆに取付けられている。これにより、前記スライド部材２１は、付勢部材８１によって、カード１０１の挿入方向と反対の方向、すなわち、カード１０１の排出方向に付勢される。
【００３２】
そして、スライド部材２１の上面にはカム溝２２が形成され、該カム溝２２には固定カム部材としての細長いピン部材８２の自由端が係合している。また、該ピン部材８２の他端は、固定端として、ハウジング１１の係止部１１ｆの上面に掛止され、ピボット結合されている。そして、前記ピン部材８２とカム溝２２とが協働することによって、カード１０１とともに移動するスライド部材２１にプッシュ／プッシュの動作を行わせるようになっている。これにより、前記カード案内機構は、カード１０１を挿入方向に押込むプッシュ動作によってカード１０１が挿入方向に移動して終端点まで到達すると、前記付勢部材８１の付勢力によって、前記カード１０１を終端点から挿入方向と反対の方向に移動させて排出することができる。
【００３３】
前記ピン部材８２は、シェル６１の板ばね６３によって上から下方向に付勢されることによって保持されている。前記板ばね６３は、シェル６１の天板部６２の一部をハウジング１１の底壁部１１ａの方向に押圧可能に折曲げ加工することによって形成されており、ピン部材８２は、前記板ばね６３とスライド部材２１又はハウジング１１との間に位置し、スライド部材２１又はハウジング１１から離脱しないように保持されている。
【００３４】
なお、第２側壁部１１ｄにはストッパ部１１ｇが形成されている。そして、付勢部材８１の付勢力によって、スライド部材２１がカード１０１の挿入方向と反対の方向に移動させられてカード１０１が排出される際には、スライド部材２１は、ストッパ部１１ｇに当接することによって停止させられる。
【００３５】
また、ハウジング１１におけるカード案内機構と反対側（図２における右側）には、カード１０１がカード用コネクタ１に装填され、カード１０１のコンタクトパッドと端子５１とが接触していることを検知する検知スイッチが配設されている。前記第１側壁部１１ｃの奥側にはスイッチ保持部１２が一体的に形成され、該スイッチ保持部１２に形成されたスイッチ収容空間１２ａ内に検知スイッチを形成する第１接点部材５２及び第２接点部材５３が取付けられている。
【００３６】
なお、前記検知スイッチは、必ずしも第１側壁部１１ｃに配設される必要はなく、例えば、奥壁部１１ｂに配設されていてもよい。つまり、本実施の形態における検知スイッチは、必ずしもハウジング１１の側壁に配設される必要はなく、カード収容空間の内壁面に沿って配設されていれば、いかなる部位に配設されていてもよい。ここでは、説明の都合上、検知スイッチが第１側壁部１１ｃに配設されている例についてのみ説明する。
【００３７】
図３に示されるように、第１接点部材５２は、スイッチ保持部１２に取付けられた取付部５２ａ、基端が該取付部５２ａに接続されて前方に向けて延出するカンチレバー状の本体部５２ｂ、該本体部５２ｂの自由端に接続された接触部５２ｄ、該接触部５２ｄの先端に接続され、第２側壁部１１ｄ方向に向けて突出するようにループ状に曲げられた突出部５２ｅ、及び、前記取付部５２ａに接続されてハウジング１１の外側に突出するソルダーテール部５２ｃを備える。
【００３８】
一方、前記第２接点部材５３は、スイッチ保持部１２に取付けられた取付部５３ａ、基端が該取付部５３ａに接続されて後方に向けて延出するカンチレバー状の本体部５３ｂ、該本体部５３ｂの自由端に接続された接触部５３ｄ、及び、前記取付部５３ａに接続されてハウジング１１の外側に突出するソルダーテール部５３ｃを備える。そして、前記第２接点部材５３の接触部５３ｄは、第１接点部材５２の接触部５２ｄよりも外側に、かつ、第１接点部材５２の接触部５２ｄから離間して配設されている。そのため、カード１０１が挿入されていない状態においては、図３に示されるように、第１接点部材５２と第２接点部材５３とは非接触であり、検知スイッチは非導通状態、すなわち、オフ（ＯＦＦ）になっている。
【００３９】
なお、カード１０１が挿入され、コンタクトパッドと端子５１とが接触する位置に到達すると、第１接点部材５２の突出部５２ｅが外側に押出されて変位し、第１接点部材５２の接触部５２ｄが第２接点部材５３の接触部５３ｄに接触する。これにより、第１接点部材５２と第２接点部材５３とが接触し、検知スイッチは導通状態、すなわち、オン（ＯＮ）になる。
【００４０】
また、第１接点部材５２のソルダーテール部５２ｃ及び第２接点部材５３のソルダーテール部５３ｃは、スイッチ保持部１２の外側の縁から後方に向けて突出し、前記電子機器における配線基板等の基板に形成された信号線、コンタクトパッド、端子等、すなわち、相手側端子部材に、はんだ付等によって電気的に接続される。
【００４１】
図２に示されるように、第１側壁部１１ｃと第２側壁部１１ｄとの間に位置するカード収容空間と、スイッチ収容空間１２ａとは、第１側壁部１１ｃの内壁面を貫通するように形成された接続開口１２ｂによって連通されている。そして、該接続開口１２ｂを塞ぐように、ハウジング１１に対して移動可能な可動カバー部材４１が配設されている。
【００４２】
該可動カバー部材４１は、スイッチ収容空間１２ａの天板部１２ｃにおけるカード収容空間寄りの部分及びカード収容空間側の側面を覆う部材であり、検知スイッチの周囲の少なくとも一部を覆う本体部４３と、該本体部４３の一端（図に示される例では前端）に形成された枢支部４２と、前記本体部４３から突出し、前記接続開口１２ｂを通ってカード収容空間内に進入可能なボタン部４４とを備える。前記本体部４３は、内部が空洞となっているが、該空洞内に第１接点部材５２の突出部５２ｅに当接するスイッチ作用部４６が配設されている。
【００４３】
そして、前記可動カバー部材４１は、前記枢支部４２を中心にしてハウジング１１に対して回転することができる。カード収容空間にカード１０１が挿入されていない状態では、ばね性を備える第１接点部材５２の突出部５２ｅによってスイッチ作用部４６がハウジング１１の幅方向中心に向けて付勢されるので、可動カバー部材４１全体も、図１及び２に示されるように、ハウジング１１の幅方向中心に寄った第１の位置にある。なお、カード収容空間にカード１０１が挿入された状態では、ボタン部４４がカード１０１によって押されることにより、可動カバー部材４１全体は、ハウジング１１の幅方向外側に変位して、図示されない第２の位置に到達する。
【００４４】
前記第１の位置においては、本体部４３におけるボタン部４４より奥側に突出した部分におけるカード収容空間寄りの面である第１位置決め部４３ｂが、スイッチ保持部１２の接続開口１２ｂの奥側端において突出するハウジング側第１突部１２ｇに当接し、押付けられている。また、前記第１の位置においては、本体部４３におけるボタン部４４より手前側の部分におけるカード収容空間寄りの面である第２位置決め部４３ｃが、スイッチ保持部１２の接続開口１２ｂの手前側端において突出するハウジング側第２突部１２ｄに当接し、押付けられている。
【００４５】
この場合、ハウジング側第１突部１２ｇにおけるハウジング１１の幅方向外側面がハウジング側第１停止シール部として機能し、第１位置決め部４３ｂがカバー側第１停止シール部として機能する。また、ハウジング側第２突部１２ｄにおけるハウジング１１の幅方向外側面がハウジング側第２停止シール部として機能し、第２位置決め部４３ｃがカバー側第２停止シール部として機能する。つまり、可動カバー部材４１が第１の位置において停止しているときには、ハウジング側第１突部１２ｇ及び第１位置決め部４３ｂとハウジング側第２突部１２ｄ及び第２位置決め部４３ｃとが停止シール部として機能し、接続開口１２ｂの奥側及び手前側において、すなわち、接続開口１２ｂを塞ぐボタン部４４の奥側及び手前側において、ハウジング１１と可動カバー部材４１との間の隙間をシールし、スイッチ収容空間１２ａとカード収容空間とを確実に遮断する。したがって、カード収容空間の塵埃等の異物がスイッチ収容空間１２ａに進入することがなく、第１接点部材５２の接触部５２ｄ及び第２接点部材５３の接触部５３ｄに異物が付着することが確実に防止される。
【００４６】
ところで、前記ボタン部４４は、図２に示されるように、上方から見て、略三角形又は山のような形状を有し、ハウジング１１の幅方向中心に最も突出した頂上部４４ｄと、該頂上部４４ｄから手前側に向けて斜めに延在する手前側傾斜面部４４ａと、前記頂上部４４ｄから奥側に向けて斜めに延在し、カバー側第１遷移シール部として機能する奥側傾斜面部４４ｂと、前記手前側傾斜面部４４ａにおける手前側端と第２位置決め部４３ｃにおける奥側端とを接続し、カバー側第２遷移シール部として機能する手前側壁面部４４ｃとを有する。
【００４７】
そして、前記第１の位置においては、前記奥側傾斜面部４４ｂのハウジング１１の幅方向外側端近傍が、ハウジング側第１遷移シール部として機能するハウジング側第１突部１２ｇの先端（図２における上側端）に対向し、前記手前側壁面部４４ｃのハウジング１１の幅方向外側端近傍が、ハウジング側第２遷移シール部として機能するハウジング側第２突部１２ｄの先端（図２における下側端）に対向している。
【００４８】
また、本体部４３の先端面４３ａにおける少なくともハウジング１１の幅方向中心寄りの部分は、カバー側第３遷移シール部として機能し、ハウジング側第３遷移シール部として機能するスイッチ収容空間１２ａの奥側内壁面１２ｅに対向している。
【００４９】
ハウジング１１の位置が、前記第２の位置にあるとき、及び、第１の位置と第２の位置との間にあるとき、すなわち、遷移状態にあるときには、奥側傾斜面部４４ｂ及びハウジング側第１突部１２ｇの先端と、手前側壁面部４４ｃ及びハウジング側第２突部１２ｄの先端と、先端面４３ａ及び奥側内壁面１２ｅとが遷移シール部として機能し、接続開口１２ｂの奥側及び手前側において、すなわち、接続開口１２ｂを塞ぐボタン部４４の奥側及び手前側において、ハウジング１１と可動カバー部材４１との間の隙間をシールし、スイッチ収容空間１２ａとカード収容空間とを確実に遮断する。
【００５０】
また、シェル６１は、概略矩（く）形の天板部６２と、該天板部６２に形成された板ばね６３と、前記天板部６２の側縁の複数箇所から立設する複数の側板部６４とを有する。該側板部６４には、複数の掛止開口６５が形成され、シェル６１をハウジング１１の上側に取付けると、該ハウジング１１の第１側壁部１１ｃ及び第２側壁部１１ｄの外側面に形成された掛止突起１１ｈに前記掛止開口６５が掛止され、シェル６１がハウジング１１に固定される。また、前記側板部６４の下端からは、複数のソルダーテール部６７が外方に延出する。該ソルダーテール部６７を前記電子機器における配線基板等の基板に形成された接続パッド等にはんだ付等によって接続することにより、カード用コネクタ１を強固に基板に固定することができる。また、前記接続パッド等が基板のグランドラインに接続されている場合には、シェル６１をカード用コネクタ１のグランドラインとして機能させることができる。
【００５１】
さらに、シェル６１は、ハウジング１１に取付けられた状態で、スイッチ保持部１２の上面及び幅方向外側の側面を覆い、スイッチ収容空間１２ａにおける上面及びハウジング１１の幅方向外側の側面を閉止するようになっている。したがって、スイッチ収容空間１２ａは、図３に示されるように、ハウジング１１の底壁部１１ａに形成された底面開口部１２ｆによってのみ、カード用コネクタ１の外側の空間と連通する。
【００５２】
なお、カード用コネクタ１が電子機器における配線基板等の基板に実装される場合には、底壁部１１ａの裏面全体が基板の表面に対向するようにして基板に実装されることとなるので、前記底面開口部１２ｆは基板によって塞がれることとなる。したがって、カード用コネクタ１が基板に実装されると、スイッチ収容空間１２ａは、実質的に、カード用コネクタ１の外側の空間から遮断されるので、大気中の塵埃等の異物がスイッチ収容空間１２ａに進入することがなく、第１接点部材５２の接触部５２ｄ及び第２接点部材５３の接触部５３ｄに異物が付着することが確実に防止される。
【００５３】
次に、前記構成のカード用コネクタ１の動作について説明する。
【００５４】
図５は本発明の第１の実施の形態におけるカード用コネクタのカード挿入途中の状態を示すシェルを取除いた上面図、図６は本発明の第１の実施の形態におけるカード用コネクタのカード挿入途中の状態を示す下面図である。なお、図５及び６において、（ａ）は全体図、（ｂ）は要部拡大図である。
【００５５】
まず、カード１０１を挿入する場合の動作について説明する。この場合、利用者が手指等によってカード１０１をカード用コネクタ１の前方（図５及び６における上方）から挿入する。なお、カード１０１は、略矩形の平板状の部材であり、一面側に端子部材としてのコンタクトパッドが複数個配設され、該コンタクトパッドの配設された面がハウジング１１の底壁部１１ａと対向し、コンタクトパッドの配設されていない面がシェル６１の天板部６２と対向するような姿勢で、カード用コネクタ１のカード収容空間内に挿入される。これにより、カード１０１は、一方の側端がハウジング１１の第１側壁部１１ｃに沿って、かつ、他方の側端がハウジング１１の第２側壁部１１ｄに沿って進行する。
【００５６】
そして、挿入の初期の状態において、カード１０１のコンタクトパッドは、端子５１の接触部５１ｂにまで到達しておらず、かつ、カード１０１は、可動カバー部材４１のボタン部４４にまで到達していない。したがって、第１接点部材５２と第２接点部材５３とは非接触であり、検知スイッチはオフになっている。
【００５７】
続いて、利用者がカード１０１をプッシュして更に押込むと、スライド部材２１の第１係合部２１ａ及び第２係合部２１ｂは、カード１０１に形成された係合凹部と係合し、前記カード１０１は、スライド部材２１とともに、奥壁部１１ｂに向けて移動する。この際、利用者の手指等が発揮する押圧力は、カード１０１の係合凹部から第１係合部２１ａ及び第２係合部２１ｂを介してスライド部材２１に伝達される。該スライド部材２１がコイルスプリングから成る付勢部材８１を圧縮するので、スライド部材２１及びカード１０１は、付勢部材８１の反発力を受けるが、該反発力が利用者の手指等が発揮する押圧力よりも小さいので、前記反発力に抗して移動する。そして、前記スライド部材２１及びカード１０１は、最も前進した位置である終端点に到達してフルストローク状態となる。
【００５８】
なお、カード１０１が終端点に到達するまでの行程の途中において、コンタクトパッドは、端子５１の接触部５１ｂと接触して導通する。また、図５に示されるように、カード１０１における第１側壁部１１ｃと対向する側端の挿入方向先端寄りの部分が可動カバー部材４１のボタン部４４に当接し、可動カバー部材４１をハウジング１１の幅方向外側に変位させる。具体的には、可動カバー部材４１は、枢支部４２を中心にして図５において反時計回り方向に回転する。
【００５９】
これにより、図６に示されるように、可動カバー部材４１のスイッチ作用部４６がハウジング１１の幅方向外側に変位し、第１接点部材５２の突出部５２ｅを押して、ハウジング１１の幅方向外側に変位させる。そのため、第１接点部材５２の接触部５２ｄが第２接点部材５３の接触部５３ｄと接触し、第１接点部材５２と第２接点部材５３とが導通する。これにより、検知スイッチがオンになり、カード用コネクタ１にカード１０１が適切に挿入されたことが検知される。
【００６０】
続いて、利用者がカード１０１をプッシュする動作を止め、カード１０１に対する押圧力を解除すると、付勢部材８１の反発力によって、スライド部材２１及びカード１０１は奥壁部１１ｂから離脱する向きに移動させられる。そして、スライド部材２１及びカード１０１は、カード用コネクタ１内でカード１０１をロックした状態で保持するロック位置で停止する。これは、カム溝２２と係合しているピン部材８２が、カム溝２２の一部に係止してスライド部材２１の動きを停止させることによって、スライド部材２１を前記ロック位置で停止させているからである。
【００６１】
そして、カード１０１は、ロック位置に保持されることによって、カード用コネクタ１が取付けられた電子機器の演算手段等との間でデータの送受信を行うことができる状態となる。なお、カード１０１がロック位置に保持されている場合、カード１０１のコンタクトパッドは、端子５１の接触部５１ｂと接触して導通している。そして、第１接点部材５２の接触部５２ｄが第２接点部材５３の接触部５３ｄと接触しているので、検知スイッチはオンの状態になっている。
【００６２】
なお、前記終端点及びロック位置では、カード１０１は、図５に示される状態よりも奥側に位置する、すなわち、奥壁部１１ｂにより近接した位置にある。そして、可動カバー部材４１は、図５に示される状態よりもハウジング１１の幅方向外側に更に変位して、第２の位置に到達している。
【００６３】
図５に示されるように、可動カバー部材４１の位置が、第１の位置と第２の位置との間にあるとき、すなわち、遷移状態にあるとき、又は、第２の位置にあるときには、カバー側第１遷移シール部としての奥側傾斜面部４４ｂと、ハウジング側第１遷移シール部としてのハウジング側第１突部１２ｇの先端とが互いに近接した状態で対向し、第１遷移シール部として機能する。これにより、接続開口１２ｂを塞ぐボタン部４４の奥側において、ハウジング１１と可動カバー部材４１との間の隙間をシールし、スイッチ収容空間１２ａとカード収容空間とを遮断する。
【００６４】
なお、奥側傾斜面部４４ｂの形状は、ハウジング側第１突部１２ｇの先端との間隔を一定に保持するという観点からは、上方から観て、枢支部４２を中心とする円弧状であることが望ましいが、図５に示されるように、ハウジング側第１突部１２ｇの先端との間隔が近接した状態を維持することができる場合には、上方から観て、直線状であってもよい。
【００６５】
また、可動カバー部材４１の位置が遷移状態又は第２の位置にあるときには、カバー側第２遷移シール部としての手前側壁面部４４ｃと、ハウジング側第２遷移シール部としてのハウジング側第２突部１２ｄの先端とが互いに近接した状態で対向し、第２遷移シール部として機能する。これにより、接続開口１２ｂを塞ぐボタン部４４の手前側において、ハウジング１１と可動カバー部材４１との間の隙間をシールし、スイッチ収容空間１２ａとカード収容空間とを遮断する。
【００６６】
なお、手前側傾斜面部４４ｃの形状は、ハウジング側第２突部１２ｄの先端との間隔を一定に保持するという観点からは、上方から観て、枢支部４２を中心とする円弧状であることが望ましいが、図５に示されるように、ハウジング側第２突部１２ｄの先端との間隔が近接した状態を維持することができる場合には、上方から観て、直線状であってもよい。
【００６７】
さらに、可動カバー部材４１の位置が遷移状態又は第２の位置にあるときには、カバー側第３遷移シール部としての本体部４３の先端面４３ａにおける少なくともハウジング１１の幅方向中心寄りの部分と、ハウジング側第３遷移シール部としてのスイッチ収容空間１２ａの奥側内壁面１２ｅとが互いに近接した状態で対向し、第３遷移シール部として機能する。これにより、接続開口１２ｂを塞ぐボタン部４４の奥側において、前記第１遷移シール部と協働してハウジング１１と可動カバー部材４１との間の隙間をシールし、スイッチ収容空間１２ａとカード収容空間とを遮断する。
【００６８】
なお、スイッチ収容空間１２ａの奥側内壁面１２ｅの形状は、本体部４３の先端面４３ａにおける少なくともハウジング１１の幅方向中心寄りの部分との間隔を一定に保持するという観点からは、上方から観て、枢支部４２を中心とする円弧状であることが望ましいが、図５に示されるように、本体部４３の先端面４３ａにおける少なくともハウジング１１の幅方向中心寄りの部分との間隔が近接した状態を維持することができる場合には、上方から観て、直線状であってもよい。
【００６９】
本実施の形態においては、ボタン部４４の奥側に、複数の遷移シール部、具体的には、第１遷移シール部及び第３遷移シール部が配設されている。これは、ボタン部４４の手前側よりも奥側の方が異物が進入しやすい環境にある、と考えられるからである。カード収容空間内に存在する塵埃等の異物は、挿入されたカード１０１が奥壁部１１ｂに向けて前進すると、それとともに、前進する。そして、図５に示されるように、カード１０１が可動カバー部材４１のボタン部４４に当接する時点では、カード１０１の前方に位置するカード収容空間の容積はかなり圧縮されており、そこに存在する異物の密度が高くなっている。この状態で、可動カバー部材４１がハウジング１１の幅方向外側に変位して、第１位置決め部４３ｂがハウジング側第１突部１２ｇにおけるハウジング１１の幅方向外側面から離間すると、第１停止シール部が無効となり、接続開口１２ｂにおけるボタン部４４の奥側を通ってスイッチ収容空間１２ａ内に異物が進入する可能性が高くなる。しかし、本実施の形態においては、ボタン部４４の奥側に複数の遷移シール部が配設されているので、接続開口１２ｂにおけるボタン部４４の奥側を通る異物の進入を効果的に防止することができる。
【００７０】
カード収容空間とスイッチ収容空間１２ａとの間を結ぶスイッチ保持部１２と可動カバー部材４１との間の隙間に配設された複数の遷移シール部は、全体として、いわゆるラビリンスシールとして機能するので、前記隙間を効果的にシールし、スイッチ収容空間１２ａとカード収容空間とを確実に遮断することができる。
【００７１】
なお、ボタン部４４の手前側の第１停止シール部は、カード１０１の前端が通過した後に無効となるので、ボタン部４４の手前側には、単数の遷移シール部、具体的には、第２遷移シール部のみが配設されていても、異物の進入を十分に防止することができる。もっとも、必要に応じて、ボタン部４４の手前側に、複数の遷移シール部を配設することもできる。
【００７２】
次に、カード１０１をカード用コネクタ１から排出させる動作について説明する。この場合、利用者が手指等によってカード１０１をプッシュして押込むと、スライド部材２１及びカード１０１は、ロック位置から奥壁部１１ｂに向けて移動させられる。そして、利用者がカード２１をプッシュして更に押込むと、スライド部材２１及びカード１０１は、最も前進した位置である終端点に到達してフルストローク状態となる。
【００７３】
続いて、利用者がカード１０１をプッシュする動作を止め、カード１０１に対する押圧力を解除すると、付勢部材８１の反発力によって、スライド部材２１及びカード１０１は、奥壁部１１ｂから離脱する向きに移動させられ、ロック位置の方向に復帰する。この際、付勢部材８１の反発力は、押圧力となり、スライド部材２１の第１係合部２１ａ及び第２係合部２１ｂを介してカード１０１に伝達される。そして、スライド部材２１がロック位置に到達しても、カム溝２２と係合しているピン部材８２がカム溝２２の一部に係止しないので、スライド部材２１の動きが規制されず、前記ロック位置で停止させられない。そのため、スライド部材２１及びカード１０１は、前記ロック位置を通過し、カード１０１の挿入方向と反対の方向に更に移動する。これにより、カード１０１は確実に挿入方向と反対の方向に移動して排出される。
【００７４】
なお、カード１０１が排出されるまでの行程の途中において、コンタクトパッドは、端子５１の接触部５１ｂから離間して非導通となる。また、カード１０１における第１側壁部１１ｃと対向する側端が可動カバー部材４１のボタン部４４から離間する。すると、第１接点部材５２が、それ自体のばね性によって復元し、図３に示されるような姿勢に復帰するので、第１接点部材５２と第２接点部材５３とが非接触に戻り、検知スイッチはオフになる。また、第１接点部材５２の突出部５２ｅによってスイッチ作用部４６が押され、それにより、可動カバー部材４１がハウジング１１の幅方向中心側に変位し、図２に示されるような姿勢に復帰する。つまり、可動カバー部材４１は、第２の位置から第１の位置に復帰する。
【００７５】
このように、本実施の形態において、カード用コネクタ１は、コンタクトパッドを備えるカード１０１を収容するハウジング１１と、ハウジング１１に取付けられ、カード１０１のコンタクトパッドと接触する端子５１と、ハウジング１１に取付けられ、ハウジング１１との間にカード収容空間を形成するシェル６１とを有し、カード収容空間に挿入されたカード１０１のコンタクトパッドが端子５１と接触していることを検知する検知スイッチと、ハウジング１１に形成され、検知スイッチを収容するスイッチ収容空間１２ａと、カード収容空間とスイッチ収容空間１２ａとを連通する接続開口１２ｂを塞ぐようにハウジング１１に配設された可動カバー部材４１とを更に有する。
【００７６】
これにより、異物が検知スイッチに付着することを確実に防止することができ、カード１０１の検知を正確に行うことができる。また、構造を簡素化することができ、組立を容易にし、コストを低減するとともに、小型化を可能とし、信頼性を向上させることができる。
【００７７】
また、可動カバー部材４１が、カード収容空間に挿入されたカード１０１と当接しない第１の位置にあるとき、ハウジング１１と可動カバー部材４１との間の隙間をシールする停止シール部と、可動カバー部材４１が、カード収容空間への挿入が完了したカード１０１によって変位させられた第２の位置にあるとき、及び、第１の位置と第２の位置との間にあるとき、ハウジング１１と可動カバー部材４１との間の隙間をシールする遷移シール部とを有する。これにより、可動カバー部材４１が停止しているときのみならず、可動カバー部材４１がカード１０１によって変位させられた状態であっても、ハウジング１１と可動カバー部材４１との間の隙間がシールされるので、異物がスイッチ収容空間１２ａ内に進入することがなく、異物が検知スイッチに付着することを確実に防止することができる。
【００７８】
さらに、可動カバー部材４１は、検知スイッチの周囲の少なくとも一部を覆う本体部４３と、本体部４３から突出し、接続開口１２ｂを通ってカード収容空間内に進入可能なボタン部４４とを備え、停止シール部はボタン部４４の両側に配設されるとともに、遷移シール部もボタン部４４の両側に配設される。これにより、接続開口１２ｂを通ってカード収容空間内に進入可能なボタン部４４の両側において、ハウジング１１と可動カバー部材４１との間の隙間がシールされるので、異物がスイッチ収容空間１２ａ内に進入することを効果的に防止することができる。
【００７９】
さらに、遷移シール部は、ボタン部４４の少なくとも一側に複数配設される。この場合、複数の遷移シール部がラビリンスシールとして機能するので、スイッチ収容空間１２ａとカード収容空間とを確実に遮断することができる。
【００８０】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００８１】
図７は本発明の第２の実施の形態におけるカード用コネクタを示す斜視図、図８は本発明の第２の実施の形態におけるカード用コネクタのシェルを取除いた状態を示す上面図である。なお、図７において、（ａ）は分解図、（ｂ）はシェルを取除いた状態を示す図、図８において、（ａ）は全体図、（ｂ）は要部拡大図である。
【００８２】
本実施の形態における可動カバー部材４１は、前記第１の実施の形態における可動カバー部材４１と同様に、接続開口１２ｂを塞ぐように配設され、ハウジング１１に対して移動可能な部材であって、スイッチ収容空間１２ａの天板部１２ｃにおけるカード収容空間寄りの部分及びカード収容空間側の側面を覆う部材である。
【００８３】
しかし、本実施の形態における可動カバー部材４１は、ハウジング１１の幅方向にスライドするように取付けられており、本体部４３と、該本体部４３からカード収容空間内に突出するボタン部４４とを備えているが、枢支部４２は備えていない。なお、前記本体部４３は、前記第１の実施の形態と同様に、内部が空洞となっているが、該空洞内に第１接点部材５２の突出部５２ｅに当接するスイッチ作用部４６が配設されている。また、検知スイッチの構造も、前記第１の実施の形態と同様である。
【００８４】
そして、カード収容空間にカード１０１が挿入されていない状態では、ばね性を備える第１接点部材５２の突出部５２ｅによってスイッチ作用部４６がハウジング１１の幅方向中心に向けて付勢されるので、可動カバー部材４１全体も、図７及び８に示されるように、ハウジング１１の幅方向中心に寄った第１の位置にある。なお、カード収容空間にカード１０１が挿入された状態では、ボタン部４４がカード１０１によって押されることにより、可動カバー部材４１全体は、ハウジング１１の幅方向外側に変位して、図示されない第２の位置に到達する。
【００８５】
前記第１の位置においては、本体部４３におけるボタン部４４より奥側に突出した部分におけるカード収容空間寄りの面である第１位置決め部４３ｂが、スイッチ保持部１２の接続開口１２ｂの奥側端において突出するハウジング側第１突部１２ｇに当接し、押付けられている。なお、図に示される例において、ハウジング側第１突部１２ｇは、その先端（図８における上側端）が奥壁部１１ｂの内壁面と面一になるように形成されているが、その先端が奥壁部１１ｂの内壁面よりも手前側に突出するように形成されていてもよい。また、前記第１の位置においては、本体部４３におけるボタン部４４より手前側の部分におけるカード収容空間寄りの面である第２位置決め部４３ｃが、スイッチ保持部１２の接続開口１２ｂの手前側端において突出するハウジング側第２突部１２ｄに当接し、押付けられている。
【００８６】
本実施の形態においても、前記第１の実施の形態と同様に、ハウジング側第１突部１２ｇにおけるハウジング１１の幅方向外側面がハウジング側第１停止シール部として機能し、第１位置決め部４３ｂがカバー側第１停止シール部として機能する。また、ハウジング側第２突部１２ｄにおけるハウジング１１の幅方向外側面がハウジング側第２停止シール部として機能し、第２位置決め部４３ｃがカバー側第２停止シール部として機能する。つまり、可動カバー部材４１が第１の位置において停止しているときには、ハウジング側第１突部１２ｇ及び第１位置決め部４３ｂとハウジング側第２突部１２ｄ及び第２位置決め部４３ｃとが第１及び第２停止シール部として機能し、接続開口１２ｂの奥側及び手前側において、すなわち、接続開口１２ｂを塞ぐボタン部４４の奥側及び手前側において、ハウジング１１と可動カバー部材４１との間の隙間をシールし、スイッチ収容空間１２ａとカード収容空間とを確実に遮断する。したがって、カード収容空間の塵埃等の異物がスイッチ収容空間１２ａに進入することがなく、第１接点部材５２の接触部５２ｄ及び第２接点部材５３の接触部５３ｄに異物が付着することが確実に防止される。
【００８７】
ところで、前記ボタン部４４は、図８に示されるように、上方から見て、略台形又は台地のような形状を有し、ハウジング１１の幅方向中心に突出し、カード１０１の挿抜方向（図８における上下方向）に延在する平坦（たん）な頂上部４４ｄと、該頂上部４４ｄの手前端から手前側に向けて斜めに延在する手前側傾斜面部４４ａと、前記頂上部４４ｄの奥側端においてハウジング１１の幅方向に、カバー側第１遷移シール部として機能する奥側壁面部４４ｅと、前記手前側傾斜面部４４ａにおける手前側端と第２位置決め部４３ｃにおける奥側端とを接続し、手前側壁面部４４ｃとを有する。
【００８８】
そして、前記第１の位置においては、前記奥側壁面部４４ｅが、ハウジング側第１遷移シール部として機能するハウジング側第１突部１２ｇの先端に対向し、前記手前側壁面部４４ｃがハウジング側第２突部１２ｄの先端（図８における下側端）に対向している。
【００８９】
また、本体部４３の先端面４３ａはカバー側第３遷移シール部として機能し、ハウジング側第３遷移シール部として機能するスイッチ収容空間１２ａの奥側内壁面１２ｅに対向している。さらに、本体部４３の後端面４３ｄはカバー側第２遷移シール部として機能し、ハウジング側第２遷移シール部として機能するスイッチ収容空間１２ａの手前側内壁面１２ｈに対向している。
【００９０】
ハウジング１１の位置が、前記第２の位置にあるとき、及び、遷移状態にあるときには、奥側壁面部４４ｅ及びハウジング側第１突部１２ｇの先端と、後端面４３ｄ及び手前側内壁面１２ｈと、先端面４３ａ及び奥側内壁面１２ｅとが遷移シール部として機能し、接続開口１２ｂの奥側及び手前側において、すなわち、接続開口１２ｂを塞ぐボタン部４４の奥側及び手前側において、ハウジング１１と可動カバー部材４１との間の隙間をシールし、スイッチ収容空間１２ａとカード収容空間とを確実に遮断する。
【００９１】
なお、検知スイッチを形成する第１接点部材５２及び第２接点部材５３の構成、並びに、シェル６１の構成は、前記第１の実施の形態と同様であるので、その説明を省略する。また、その他の点の構成についても、前記第１の実施の形態と同様であるので、その説明を省略する。
【００９２】
次に、本実施の形態におけるカード用コネクタ１の動作について説明する。
【００９３】
図９は本発明の第２の実施の形態におけるカード用コネクタのカード挿入途中の状態を示すシェルを取除いた上面図である。なお、図において、（ａ）は全体図、（ｂ）は要部拡大図である。
【００９４】
まず、カード１０１を挿入する場合の動作について説明する。この場合、可動カバー部材４１以外の動作については、前記第１の実施の形態と同様であるので、その説明を省略する。
【００９５】
カード１０１が終端点に到達するまでの行程の途中において、図９に示されるように、カード１０１における第１側壁部１１ｃと対向する側端が可動カバー部材４１のボタン部４４に当接し、可動カバー部材４１をハウジング１１の幅方向外側に変位させる。具体的には、可動カバー部材４１は、スイッチ保持部１２に対してスライドし、ハウジング１１の幅方向外側に向って変位する。
【００９６】
これにより、前記第１の実施の形態と同様に、可動カバー部材４１のスイッチ作用部４６がハウジング１１の幅方向外側に変位し、第１接点部材５２の突出部５２ｅを押して、ハウジング１１の幅方向外側に変位させる。そのため、第１接点部材５２の接触部５２ｄが第２接点部材５３の接触部５３ｄと接触し、第１接点部材５２と第２接点部材５３とが導通する。これにより、検知スイッチがオンになり、カード用コネクタ１にカード１０１が適切に挿入されたことが検知される。
【００９７】
図９に示されるように、可動カバー部材４１の位置が、第２の位置にあるとき、又は、遷移状態にあるときには、カバー側第１遷移シール部としての奥側壁面部４４ｅと、ハウジング側第１遷移シール部としてのハウジング側第１突部１２ｇの先端とが互いに近接した状態で対向し、第１遷移シール部として機能する。なお、図９（ｂ）では、図示の都合上、奥側壁面部４４ｅとハウジング側第１突部１２ｇの先端とが対向しているか否かがやや不明であるが、本実施の形態においては、可動カバー部材４１の位置が第２の位置にあるときも、奥側壁面部４４ｅとハウジング側第１突部１２ｇの先端とが対向している。これにより、接続開口１２ｂを塞ぐボタン部４４の奥側において、ハウジング１１と可動カバー部材４１との間の隙間をシールし、スイッチ収容空間１２ａとカード収容空間とを遮断する。
【００９８】
また、可動カバー部材４１の位置が第２の位置又は遷移状態にあるときには、カバー側第２遷移シール部としての後端面４３ｄと、ハウジング側第２遷移シール部としての手前側内壁面１２ｈとが互いに近接した状態で対向し、第２遷移シール部として機能する。これにより、接続開口１２ｂを塞ぐボタン部４４の手前側において、ハウジング１１と可動カバー部材４１との間の隙間をシールし、スイッチ収容空間１２ａとカード収容空間とを遮断する。
【００９９】
さらに、可動カバー部材４１の位置が第２の位置又は遷移状態にあるときには、カバー側第３遷移シール部としての先端面４３ａと、ハウジング側第３遷移シール部としてのスイッチ収容空間１２ａの奥側内壁面１２ｅとが互いに近接した状態で対向し、第３遷移シール部として機能する。これにより、接続開口１２ｂを塞ぐボタン部４４の奥側において、前記第１遷移シール部と協働してハウジング１１と可動カバー部材４１との間の隙間をシールし、スイッチ収容空間１２ａとカード収容空間とを遮断する。
【０１００】
本実施の形態においても、前記第１の実施の形態と同様に、ボタン部４４の奥側に、複数の遷移シール部、具体的には、第１遷移シール部及び第３遷移シール部が配設されている。そして、複数の遷移シール部は、全体として、いわゆるラビリンスシールとして機能するので、スイッチ収容空間１２ａとカード収容空間とを確実に遮断することができる。
【０１０１】
また、ボタン部４４の手前側には、単数の遷移シール部、具体的には、第２遷移シール部のみが配設されているが、必要に応じて、ボタン部４４の手前側に、複数の遷移シール部を配設することもできる。
【０１０２】
さらに、本実施の形態においては、カバー側第１遷移シール部としての奥側壁面部４４ｅ、及び、ハウジング側第１遷移シール部としてのハウジング側第１突部１２ｇの先端が、それぞれ、平面状であって、広い範囲に亘（わた）って対向している。そのため、第１遷移シール部のシール機能は、前記第１の実施の形態よりも高くなっている。また、カバー側第２遷移シール部としての後端面４３ｄ、及び、ハウジング側第２遷移シール部としての手前側内壁面１２ｈも、それぞれ、平面状であって、広い範囲に亘って対向している。そのため、第２遷移シール部のシール機能は、前記第１の実施の形態よりも高くなっている。さらに、カバー側第３遷移シール部としての先端面４３ａ、及び、ハウジング側第３遷移シール部としての奥側内壁面１２ｅも、それぞれ、平面状であって、広い範囲に亘って対向している。そのため、第３遷移シール部のシール機能は、前記第１の実施の形態よりも高くなっている。
【０１０３】
なお、カード１０１をカード用コネクタ１から排出させる動作については、前記第１の実施の形態と同様であるので、その説明を省略する。
【０１０４】
また、本発明は前記実施の形態に限定されるものではなく、本発明の趣旨に基づいて種々変形させることが可能であり、それらを本発明の範囲から排除するものではない。
【産業上の利用可能性】
【０１０５】
本発明は、カード用コネクタに適用することができる。
【符号の説明】
【０１０６】
１    カード用コネクタ
１１    ハウジング
１１ａ    底壁部
１１ｂ    奥壁部
１１ｃ    第１側壁部
１１ｄ    第２側壁部
１１ｅ    端子装填溝
１１ｆ    係止部
１１ｇ    ストッパ部
１１ｈ    掛止突起
１２    スイッチ保持部
１２ａ    スイッチ収容空間
１２ｂ    接続開口
１２ｃ、６２    天板部
１２ｄ    ハウジング側第２突部
１２ｅ    奥側内壁面
１２ｆ    底面開口部
１２ｇ    ハウジング側第１突部
１２ｈ    手前側内壁面
２１    スライド部材
２１ａ    第１係合部
２１ｂ    第２係合部
２２    カム溝
４１    可動カバー部材
４２    枢支部
４３、５１ａ、５２ｂ、５３ｂ    本体部
４３ａ    先端面
４３ｂ    第１位置決め部
４３ｃ    第２位置決め部
４３ｄ    後端面
４４    ボタン部
４４ａ    手前側傾斜面部
４４ｂ    奥側傾斜面部
４４ｃ    手前側壁面部
４４ｄ    頂上部
４４ｅ    奥側壁面部
４６    スイッチ作用部
５１    端子
５１ｂ、５２ｄ、５３ｄ    接触部
５１ｃ、５２ｃ、５３ｃ、６７    ソルダーテール部
５２    第１接点部材
５２ａ、５３ａ    取付部
５２ｅ    突出部
５３    第２接点部材
６１    シェル
６３    板ばね
６４    側板部
６５    掛止開口
８１    付勢部材
８２    ピン部材
１０１    カード
８４１    スイッチ部材
８４２    回転軸
８４３    傾斜面
８６１    カバー
８６２    開口
８７１    検知スイッチ
８７２    第１接触片
８７３    第２接触片
９０１    メモリカード
【図１】
2011082049.tif 000003
【図２】
2011082049.tif 000004
【図３】
2011082049.tif 000005
【図４】
2011082049.tif 000006
【図５】
2011082049.tif 000007
【図６】
2011082049.tif 000008
【図７】
2011082049.tif 000009
【図８】
2011082049.tif 000010
【図９】
2011082049.tif 000011
【図１０】
2011082049.tif 000012